(57)【要約】【課題】複数の表の中にあるデータ、または１表示画面で表示することができないデータを１表示画面で参照できるデータ表示方法、データ表示装置およびデータ表示プログラムを提供すること。【解決手段】濃度測定表６１とプロセス環境表６５に測定結果データを挿入し、測定データ表示欄６０に濃度測定表６１とプロセス環境表６５を組み合わせた表を表示し（ステップ１１０）、プロセス環境表６５の行項目６６にカーソル６８を移動させてクリック操作すると（ステップ１１１）、プロセス環境表６５の個別の列タイトル６７を表示する（ステップ１１２）。【選択図】　図３
2004110423.tif 000002
【特許請求の範囲】
【請求項１】
第１のデータを第１の行項目と第１の列項目からなる第１の表形式に従って表す第１の表と第２の行項目あるいは第２の列項目と前記第２の行項目および前記第２の列項目に対応する第２のデータとを合わせた第３の表を表示画面に表示し、
前記第２の行項目あるいは前記第２の列項目が選択されたとき、前記第２の列項目あるいは前記第２の行項目を第２の表形式に従って前記表示画面に表示することを特徴とするデータ表示方法。
【請求項２】
前記第３の表を構成する前記第２の行項目、前記第２の列項目あるいは前記第２のデータは、前記第１の表とは異なる表示態様により表示することを特徴とする請求項１記載のデータ表示方法。
【請求項３】
前記第２の表形式に従って表示される前記第２の列項目あるいは前記第２の行項目は、選択された前記第２の行項目あるいは前記第２の列項目に対応する前記第２のデータの近傍に表示することを特徴とする請求項１記載のデータ表示方法。
【請求項４】
第１の行項目と第１の列項目からなる第１の表形式と、第２の行項目と第２の列項目からなる第２の表形式と、前記第１の行項目および前記第１の列項目に対応する第１のデータと、前記第２の行項目および前記第２の列項目に対応する第２のデータとを記憶する記憶手段と、
前記第１のデータを前記第１の表形式に従って表す第１の表と前記第２の行項目あるいは前記第２の列項目と前記第２のデータとを合わせた第３の表を表示画面に表示する第１の表示手段と、
前記第１の表示手段によって表示された前記第２の行項目あるいは前記第２の列項目を選択する選択手段と、
前記選択手段によって前記第２の行項目あるいは前記第２の列項目が選択されたとき、前記第２の列項目あるいは前記第２の行項目を前記第２の表形式に従って前記表示画面に表示する第２の表示手段とを備えたことを特徴とするデータ表示装置。
【請求項５】
前記第１の表示手段により表示された前記第３の表は、前記第１の表と前記第２のデータを前記第１の表形式に従って表示したものであることを特徴とする請求項４記載のデータ表示装置。
【請求項６】
前記第１の表示手段は、前記第３の表を構成する前記第２の行項目、前記第２の列項目、あるいは前記第２のデータを前記第１の表と異なる表示態様により表示することを特徴とする請求項４記載のデータ表示装置。
【請求項７】
前記第２の表示手段は、前記第２の列項目あるいは前記第２の行項目を前記選択手段により選択された前記第２の行項目あるいは前記第２の列項目に対応する前記第２のデータの近傍に表示することを特徴とする請求項４記載のデータ表示装置。
【請求項８】
前記第１および第２のデータは、外部装置から転送されることを特徴とする請求項４記載のデータ表示装置。
【請求項９】
前記第１および第２のデータは、保守作業を行うために接続された外部装置から転送される測定データであることを特徴とする請求項４記載のデータ表示装置。
【請求項１０】
前記外部装置は、画像複写装置であることを特徴とする請求項８または請求項９記載のデータ表示装置。
【請求項１１】
第１の行項目と第１の列項目からなる第１の表形式と、前記第１の行項目および前記第１の列項目に対応する第１のデータとを記憶する記憶手段と、
前記第１のデータを第２の表示データに変換する変換手段と、
前記第２の表示データを前記第１の表形式に従って表示画面に表示する第１の表示手段と、
前記第１の表示手段によって表示された前記第１の行項目、前記第１の列項目、あるいは前記第１の行項目および前記第１の列項目によって特定されるセルを選択する選択手段と、
前記選択手段によって選択された前記第１の行項目、前記第１の列項目あるいは前記セルに対応する前記第１のデータを前記記憶手段から読み出して前記第１の表示手段の前記表示画面に表示する第２の表示手段とを備えたことを特徴とするデータ表示装置。
【請求項１２】
前記変換手段が変換する前記第２の表示データは、前記第１のデータが所定の閾値に達しているか否かを示す記号または文字等であることを特徴とする請求項１１記載のデータ表示装置。
【請求項１３】
前記第２の表示手段は、前記第１のデータを前記選択手段によって選択された前記第１の行項目、前記第１の列項目あるいは前記セルの近傍に表示することを特徴とする請求項１１記載のデータ表示装置。
【請求項１４】
前記第１のデータは、外部装置から転送されることを特徴とする請求項１１記載のデータ表示装置。
【請求項１５】
前記第１のデータは、保守作業を行うのために接続された外部装置から転送される測定データであることを特徴とする請求項１１記載のデータ表示装置。
【請求項１６】
前記外部装置は、画像複写装置であることを特徴とする請求項１４または請求項１５記載のデータ表示装置。
【請求項１７】
コンピュータを、
第１のデータを第１の行項目と第１の列項目からなる第１の表形式に従って表す第１の表と第２の行項目あるいは第２の列項目と前記第２の行項目あるいは第２の列項目と前記第２の行項目および前記第２の列項目に対応する第２のデータとを合わせた第３の表を表示画面に表示する第１の表示手段と、
前記第１の表示手段により表示された前記第２の行項目あるいは前記第２の列項目を選択する選択手段と、
前記選択手段により前記第２の行項目あるいは前記第２の列項目が選択されたとき、前記第２の列項目あるいは前記第２の行項目を前記第２の表形式に従って前記表示画面に表示する第２の表示手段として機能させるためのデータ表示プログラム。
【請求項１８】
コンピュータを、
第１の行項目および第１の列項目に対応する第１のデータを第２の表示データに変換する変換手段と、
前記第２の表示データを前記第１の行項目と前記第１の列項目からなる第１の表形式に従って表示画面に表示する第１の表示手段と、
前記第１の表示手段により表示された前記第１の行項目、前記第１の列項目、あるいは前記第１の列項目および第１の列項目によって特定されるセルを選択する選択手段と、
前記選択手段によって選択された前記第１の行項目、前記第１の列項目あるいは前記セルに対応する前記第１のデータを前記表示画面に表示する第２の表示手段として機能させるためのデータ表示プログラム。
【発明の詳細な説明】
【０００１】
【発明の属する技術分野】
本発明は、表形式のデータ表示を行うデータ表示方法、表示装置およびデータ表示プログラムに関するものであり、特に１つの表示画面に複数の表のデータを合わせて表示させ、必要に応じて個々の表毎に別に用意された個別のデータ表示を行うことができるデータ表示方法、データ表示装置およびデータ表示プログラムに関わるものである。
【０００２】
【従来の技術】
図１０は、カラー画像複写装置３を従来のデータ表示装置である携帯型パーソナルコンピュータ（以下「パソコン」という。）１０によって保守する際の構成図である。カラー画像複写装置３を携帯型パソコン１０によって保守するときは、携帯型パソコン１０をカラー画像複写装置３の保守用接続ポート５に接続回線７で接続する。携帯型パソコン１０は、ＲＳ−２３２Ｃ、またはＵＳＢ（Ｕｎｉｖｅｒｓａｌ　Ｓｅｒｉａｌ　Ｂｕｓ）の接続インターフェースで通信を行い、カラー画像複写装置３を保守モードにして診断や調整等の保守作業を行う。
【０００３】
携帯型パソコン１０は、表示画面９、キーボード１１、マウス１３等を有し、保守のための各種アプリケーションプログラムを内蔵し、保守用接続ポート５を介して保守対象となるカラー画像複写装置３に診断または調整のための保守作業要求を送信し、カラー画像複写装置３で計測された数値を受信して携帯型パソコン１０の表示画面９に測定結果として表示する。
【０００４】
カラー画像複写装置３の保守作業者は、携帯型パソコン１０の表示画面９を参照して、保守対象となるカラー画像複写装置３の状態を知り、異常があれば更に不良箇所の特定や調整等のための測定を繰り返す。
【０００５】
測定結果を表示する表形式は、計測を行う機能および保守対象となる機種毎に用意されているが、保守作業者が見やすく操作性し易い様に数種類のベースフレーム画面に統一してある。
【０００６】
保守作業者は、カラー画像複写装置３の正常性を判断するため、各色ごとの測定値、環境値、判定、目標値、許容範囲値など多数のデータを参照しなければならないので、携帯型パソコン１０では、１つの表示画面に、なるべく関連する機能および調整項目を纏めて表示する様にレイアウトが工夫されている。
【０００７】
測定結果を纏めた表には、表示された数値の意味を瞬時に理解できるように、表の行および列のデータの意味を説明する行タイトルおよび列タイトルが付加されている。
【０００８】
また、近年、カラー画像複写装置３の機能は複雑化しているため、表の種類が増加し、１つの表において表示すべきデータの種類およびデータ数も増大している。そのため、表の索引画面や表が携帯型パソコン１０の表示画面９に収まらない場合は、表の縦または横にスクロールバーを設けていた。
【０００９】
また、従来の表形式のデータ表示装置には、多くの配列型データを操作性よく表示するため、配列型データ選択画面で選択された配列型データを表示部に格子状のウィンドウ画面で表示させる例もあった（例えば、特許文献１参照。）。
【００１０】
【特許文献１】
特開平１１−２３１９９１号公報（第２―３ページ、第２図）
【００１１】
【発明が解決しょうとする課題】
しかしながら、従来のデータ表示装置では、保守作業者は、複数の表のデータを表示画面９上で、一度に視認することはできない。そのため、必要な表を捜すために頻繁に画面を切り替えて表示画面９に表を読み出し、表示した表の中で必要なデータを捜すためにキーボード１１またはマウス１３のポインティングデバイス等を使ってスクロール操作を繰り返し、表示画面９に表示されるデータを移動させて必要なデータを捜さなければならなかった。必要なデータを見つけた後もメモを取るか、頭の中で複数の表の中にある必要なデータを記憶してカラー画像複写装置３の状態を判断しなければならなかった。
【００１２】
このような方法で保守作業を行うと、画面の切り替えやスクロール操作に時間がかかり作業効率が低下するだけでなく、保守作業がメモまたは、保守作業者の記憶能力に頼るため、誤った診断または調整を行う危険性があった。
【００１３】
また、表に行タイトルおよび列タイトルを付加するためにスクロールバーが設けられる表も多くあった。しかし、行タイトル、列タイトルを省略して、マニュアルを参照させるようにすると、マニュアルを開き、該当項目を捜すために時間がかかり、作業効率の面ではマイナスである。
【００１４】
本発明は、このような問題に鑑みてなされたもので、その目的とするところは、複数の表の中にあるデータ、または１表示画面で表示することができないデータを１表示画面で参照できるデータ表示方法、データ表示装置およびプログラムを提供することにある。
【００１５】
【課題を解決するための手段】
第１の発明は、上記目的を達成するため、第１のデータを第１の行項目と第１の列項目からなる第１の表形式に従って表す第１の表と第２の行項目あるいは第２の列項目と前記第２の行項目および前記第２の列項目に対応する第２のデータとを合わせた第３の表を表示画面に表示し、前記第２の行項目あるいは前記第２の列項目が選択されたとき、前記第２の列項目あるいは前記第２の行項目を第２の表形式に従って前記表示画面に表示することを特徴とするデータ表示方法を提供する。
【００１６】
第２の発明は、上記の目的を達成するため、第１の行項目と第１の列項目からなる第１の表形式と、第２の行項目と第２の列項目からなる第２の表形式と、前記第１の行項目および前記第１の列項目に対応する第１のデータと、前記第２の行項目および前記第２の列項目に対応する第２のデータとを記憶する記憶手段と、前記第１のデータを前記第１の表形式に従って表す第１の表と前記第２の行項目あるいは前記第２の列項目と前記第２のデータとを合わせた第３の表を表示画面に表示する第１の表示手段と、前記第１の表示手段によって表示された前記第２の行項目あるいは前記第２の列項目を選択する選択手段と、前記選択手段によって前記第２の行項目あるいは前記第２の列項目が選択されたとき、前記第２の列項目あるいは前記第２の行項目を前記第２の表形式に従って前記表示画面に表示する第２の表示手段とを備えたことを特徴とするデータ表示装置を提供する。
【００１７】
第３の発明は、上記目的を達成するため、コンピュータを、第１のデータを第１の行項目と第１の列項目からなる第１の表形式に従って表す第１の表と第２の行項目あるいは第２の列項目と前記第２の行項目あるいは第２の列項目と前記第２の行項目および前記第２の列項目に対応する第２のデータとを合わせた第３の表を表示画面に表示する第１の表示手段と、前記第１の表示手段により表示された前記第２の行項目あるいは前記第２の列項目を選択する選択手段と、前記選択手段により前記第２の行項目あるいは前記第２の列項目が選択されたとき、前記第２の列項目あるいは前記第２の行項目を前記第２の表形式に従って前記表示画面に表示する第２の表示手段として機能させるためのデータ表示プログラムを提供する。
【００１８】
第１、第２および第３の発明によれば、異なる表の中のデータを同一の表に纏めることができる。また、データだけの表については必要に応じて、そのデータの説明を得ることができるので、認識性が向上し作業効率が良く、正確な保守作業を行うことができる。
【００１９】
第４の発明は、上記目的を達成するため、第１の行項目と第１の列項目からなる第１の表形式と、前記第１の行項目および前記第１の列項目に対応する第１のデータとを記憶する記憶手段と、前記第１のデータを第２の表示データに変換する変換手段と、前記第２の表示データを前記第１の表形式に従って表示画面に表示する第１の表示手段と、前記第１の表示手段によって表示された前記第１の行項目、前記第１の列項目、あるいは前記第１の行項目および前記第１の列項目によって特定されるセルを選択する選択手段と、前記選択手段によって選択された前記第１の行項目、前記第１の列項目あるいは前記セルに対応する前記第１のデータを前記記憶手段から読み出して前記第１の表示手段の前記表示画面に表示する第２の表示手段とを備えたことを特徴とするデータ表示装置を提供する。
【００２０】
第５の発明は、上記目的を達成するため、コンピュータを、第１の行項目および第１の列項目に対応する第１のデータを第２の表示データに変換する変換手段と、前記第２の表示データを前記第１の行項目と前記第１の列項目からなる第１の表形式に従って表示画面に表示する第１の表示手段と、前記第１の表示手段により表示された前記第１の行項目、前記第１の列項目、あるいは前記第１の列項目および第１の列項目によって特定されるセルを選択する選択手段と、前記選択手段によって選択された前記第１の行項目、前記第１の列項目あるいは前記セルに対応する前記第１のデータを前記表示画面に表示する第２の表示手段として機能させるためのデータ表示プログラムを提供する。
【００２１】
第４および第５の発明によれば、スクロールしなければ参照することができない表全体をスクロールしないで参照することができるし、同じ表示画面で正確な測定結果を参照することもできるので、保守作業の効率が良くなる。
【００２２】
【発明の実施の形態】
図１は、本発明の実施の形態に係るデータ表示装置を適用した形態型パソコン１によってカラー画像複写装置３を保守する際の構成を示す。図１０に示す構成と同一のものは、同一の符号を用いてその説明を省略する。
【００２３】
図２は、本発明の実施の形態に係る携帯型パソコン１の機能ブロック図である。携帯型パソコン１は、表示部２１、操作部２２、制御部２３、通信インターフェース２４、および記憶部２５からなり、表示部２１、操作部２２、通信インターフェース２４、記憶部２５は、それぞれ制御部２３に接続されて制御部２３から制御される。通信インターフェース２４は、接続回線７によってカラー画像複写装置３に接続される。
【００２４】
具体的には表示部２１は、図１に示すように、携帯型パソコン１の表示画面９を有するＬＣＤ（液晶ディスプレイ）、操作部２２は、携帯型パソコン１のキーボード１１およびマウス１３であり、記憶部２５は、保守作業のためのアプリケーションプログラム、およびデータ表示のためのプログラム等を記憶し、後述の図４の保守モードの機能メニュー画面４１、図５の保守調整ベース画面、および図６の測定データ表示欄６０のデータ定義７０等を記録するデータベース２６を有する。
【００２５】
図３は、カラー画像複写装置３における保守作業の測定結果を携帯型パソコン１に表示させる処理のフローチャートである。初めに携帯型パソコン１をカラー画像複写装置３に接続し、携帯型パソコン１のカラー画像複写装置３の保守作業のためのアプリケーションプログラムを起動する（ステップ１０１）。保守対象となる機種を選択すると、携帯型パソコン１の表示画面９に保守モードの機能メニュー画面４１が表示される。（ステップ１０２）。
【００２６】
図４は、保守モードの機能メニュー画面４１を示す図である。保守モードの機能メニュー画面４１では、サービスカテゴリー欄４２で提供されるサービス項目例えば、カラー画質調整４３を選ぶと、カラー画質調整４３で実施すべき保守作業が機能選択部４４の機能１、・・・、機能５から選択できる。機能１、・・・、機能５のいずれかを選択すると、診断、または調整等を行うアプリケーションプログラムが起動され、その測定結果を得ることができる。例えば、機能１を選択すると、白バランス、ＣＣＤ（Ｃｈａｒｇｅ　Ｃｏｕｐｌｅｄ　Ｄｅｖｉｃｅ）のゲイン調整等のキャリブレーション（補正値を決める処理）が行われる。
【００２７】
保守モードの機能メニュー画面４１で機能１、・・・、機能５のいずれかを選択すると（ステップ１０３）、選択した機能１、・・・、機能５に対応した保守調整ベース画面５１を表示する（ステップ１０４）。
【００２８】
図５は、保守調整ベース画面５１を示す図である。保守調整ベース画面５１は、実行種別設定欄５２、測定パラメータ設定欄５３、測定データ表示欄６０からなる。
【００２９】
実行種別設定欄５２では、濃度測定等の測定種別をプルダウンメニューで選定させ、測定パラメータ設定欄５３では、画像サイズを指定するペーパサイズ指定欄５４、測定実施トレイを指定するトレイ指定欄５５、印刷濃度を指定する濃度入力欄５６等の測定パラメータをプルダウンメニューで選定させる。数値入力欄５４ａ、５５ａ、５６ａに直接数値を入力して測定パラメータを入力してもよい。さらに前へ後ろへ欄５７等で他の測定パラメータも入力できる。
【００３０】
測定データ表示欄６０には、実行種別欄５２と測定パラメータ設定欄５３に基づいて行った複数の測定結果の表をいくつか組み合わせた表が表示される。図５では、濃度測定表６１とプロセス環境表６５の２つの測定結果の表を合わせて表示している。
【００３１】
例えば、濃度測定表６１は、カラー画像複写装置３に取り付けられた５つのセンサの各色濃度の測定値を示すものである。濃度測定表６１には、Ｓｅｎｓｅｒ１の濃度、・・・、Ｓｅｎｓｅｒ５の濃度、測定結果の判定等の行タイトル６２と、Ｙ（Ｙｅｌｌｏｗ）、Ｍ（Ｍａｇｅｎｔａ）、Ｃ（Ｃｙａｎ）、Ｋ（ｋｕｒｏ）、その他等の列タイトル６３が付加され、データの意味が説明される。
【００３２】
プロセス環境表６５は、行項目６６のデータのみが表示され、列項目のデータに関する説明はない。プロセス環境表６５は、濃度測定表６１と区別するため、リーバース表示したり、色を変えたり、特別な記号（＄）等をつけたりして強調されて表示される。
【００３３】
実行種別設定欄５２を選定し、測定パラメータ設定欄５３を選定すると（ステップ１０５）、測定データ表示欄６０で表示する表の組み合わせとその表に設定する初期データが決定する。
【００３４】
実行種別設定欄５２で濃度測定を選択すると、測定データ表示欄６０に初期データが設定された濃度測定表６１と初期データが設定されたプロセス環境表６５を組み合わせた表が表示される（ステップ１０６）。
【００３５】
測定データ表示欄６０で表示する表の組み合わせ、表示する表のデータ定義および初期データは、保守対象機種別、選択された保守機能別、実行種別毎に記憶部２５のデータベース２６に予め記録されている。また、初期データは、カラー画像複写装置３に記録させてもよい。この場合、機能選択時点で携帯型パソコン１からカラー画像複写装置３に初期データの送信要求を行う。
【００３６】
実行種別設定欄５２を選定し、測定パラメータ設定欄５３を選定して実行ボタン５８を押下すると（ステップ１０７）、携帯型パソコン１からカラー画像複写装置３に対して保守作業要求を送信する（ステップ１０８）。カラー画像複写装置３は、実行種別設定欄５２、測定パラメータ設定欄５３により選定された保守作業要求を受信して測定または調整等を行い、測定結果を携帯型パソコン１ヘ送信する。
【００３７】
携帯型パソコン１は、カラー画像複写装置３からの保守作業の測定結果を受信すると（ステップ１０９）、携帯型パソコン１のデータ表示プログラムで、濃度測定表６１とプロセス環境表６５に測定結果データを挿入し、測定データ表示欄６０に濃度測定表６１とプロセス環境表６５を組み合わせた表を表示する（ステップ１１０）。
【００３８】
図６は、図５の測定データ表示欄６０のデータ定義７０を示す図である。データ定義７０は、保守対象機種別、選択された保守機能別、実行種別毎に記憶部２５のデータベース２６に予め記録されている。
【００３９】
データ定義７０は、行タイトル欄７１、列の個別タイトル有無欄７２、データ設定欄７３、表示開始座標定義欄７４（ｘ，ｙ）等からなり、濃度測定表６１のデータ定義８０では、列の個別タイトル有無欄７２を「０」すなわち無しとして、プロセス環境表６５のデータ定義８５の個別の列タイトル８７では、列の個別タイトル有無欄７２を「１」すなわち有りとして、表示開始座標定義欄７４に個別の列タイトル８７の表示開始座標を（ｘ１，ｙ１）と指定する。
【００４０】
ステップ１１０では、カラー画像複写装置３から受信した測定結果データを濃度測定表６１のデータ定義８０およびプロセス環境表６５のデータ定義８５のデータ設定欄７３の該当セルに挿入し、濃度測定表６１のデータ定義８０およびプロセス環境表６５のデータ定義８５の行項目８６を合わせたデータを表示している。
【００４１】
図５のプロセス環境表６５の行項目６６の上にカーソル６８を移動し置く、またはクリック操作（選択操作）すると（ステップ１１１）、予め記憶部２５のデータベース２６で定義された個別の列タイトル６７を１行上の行に表示する（ステップ１１２）。個別の列タイトル６７は、例えば温度、湿度、速度、電圧、タイミング等の列データの意味を説明するものである。
【００４２】
ステップ１１２の個別の列タイトル６７の表示位置は、データ定義７０の列の個別タイトル有無欄７２が「１」の個別の列タイトル８７の表示開始座標定義欄７４で示される図７の座標６９（ｘ１，ｙ１）である。尚、ステップ１１２では個別の列タイトル６７を表示しているが、個別の行タイトルを表示してもよい。
【００４３】
図７は、測定データ表示欄６０の濃度測定表６１にプロセス環境表６５の個別の列タイトル６７を表示させた図である。濃度測定表６０の列タイトル６３とプロセス環境表６５の個別の列タイトル６７とは異なる。個別の列タイトル６７を表示することによって保守作業者は、濃度測定表６０の列タイトル６３とは異なるプロセス環境表６５のデータの意味を理解することができる。
【００４４】
本発明の他の実施形態について説明する。本発明の他の実施形態は、表示されるデータ値の表示桁数が多すぎるため、表示画面９からはみ出してしまいスクロールバーを付加しないとデータが参照できないような場合、データ値を表示せず、データの正常性を判断する閾値を設け、データが所定の閾値に達しているか否かを記号または文字等に換えて表示させるものである。
【００４５】
例えば、図８は、図５、図７に示す濃度測定表６１を○×の記号で表示した濃度測定表９１を示す図である。濃度測定表９１は、図５、図７に示す濃度測定表６１をそのまま表示すると行が表示画面９をオーバーしてしまうため、データの正常性を判断する閾値を例えば８０とし、図５、図７に示す濃度測定表６１の濃度が８０未満を正常とする○、データ値が８０以上を異常とする×の記号に変換して表示させたものである。図８の濃度測定表９１は、表示画面９上に収まり、○×でデータの正常性を判断できる。
【００４６】
図９は、濃度測定表９１にＳｅｎｓｅｒ４の行の個別データ８３を表示させた図である。例えば、Ｓｅｎｓｅｒ４の実測値を知りたければ、カーソル９２をＳｅｎｓｅｒ４に置けば、自動的にＳｅｎｓｅｒ４の実測値データを表示するＳｅｎｓｅｒ４の行の個別データ９３が表示される。行の個別データ９３の場合、１画面上に表示できないので、自動的にスクロールバー９４が付加される。また、必要に応じて該当の列、行、またはセルにカーソル９２を置くまたは、クリック操作（選択操作）すると、該当の列、行、またはセルに対応するデータが表示される。
【００４７】
これによって、スクロールを行うことなく全データを１表示画面で参照できるし、必要なデータについては値を同じ画面上で見ることができる。
【００４８】
尚、本発明の実施の形態の濃度測定表６１とプロセス環境表６５は、保守作業者が見やすく操作性し易い様に予め統一されたベースフレーム画面を用いているため、表形式が似ている。このような場合は、濃度測定表６１の表形式にプロセス環境表６５のデータを入れ込んだ方が表の列が揃って見やすい。
【００４９】
もちろん、表形式がまったく異なる表を合わせて表示することもできるし、３つ以上の表を合わせて表示することもできる。表示データの変換だけでなく、表のサイズが大きく異なる場合には、予め表のサイズ等を合わせる処理等を行っても良い。み合わせた表で表示されるデータは、データでも文字でも記号でもよいし、組み合わせた表の個別データとして表示されるデータは、タイトル等のデータの意味を説明する文字または記号でもよいし、データでもよい。
【００５０】
【発明の効果】
以上詳細に説明したように、本発明によれば、複数の表の中にあるデータ、またはスクロールしなければ表全体を参照できないようなサイズの大きな表を１つの表示画面に表示でき、必要に応じてデータの意味を説明するタイトルや実測値データ等の個別データを表示できるようにしたので、画面の切り替えやスクロール操作の必要がなく、マニュアルも必要ない。そのため、保守作業の効率がよくなり、正確な保守作業を行うことが可能となる。
【図面の簡単な説明】
【図１】本発明の実施の形態に係るデータ表示装置を適用した携帯型パソコン１によってカラー画像複写装置３を保守する際の構成図
【図２】本発明の実施の形態に係る携帯型パソコン１の機能ブロック図
【図３】カラー画像複写装置３における保守作業の測定結果を携帯型パソコン１に表示させる処理のフローチャート
【図４】保守モードの機能メニュー画面４１を示す図
【図５】保守調整ベース画面５１を示す図
【図６】測定データ表示欄６０のデータ定義７０を示す図
【図７】測定データ表示欄６０の濃度測定表６１にプロセス環境表６５の個別の列タイトル６７を表示させた図
【図８】濃度測定表６１を○×の記号で表示した濃度測定表９１を示す図
【図９】濃度測定表９１にＳｅｎｓｅｒ４の行の個別データ９３を表示させた図
【図１０】カラー画像複写装置３を従来のデータ表示装置としての携帯型パソコン１によって保守する際の構成図
【符号の説明】
１、１０………携帯型パソコン
３………カラー画像複写装置
５………保守用接続ポート
７………接続回線
９………表示画面
１１………キーボード
１３………マウス
２１………表示部
２３………制御部
２５………記憶部
２６………データベース
４１………機能メニュー画面
４２………サービスカテゴリー欄
４３………カラー画増調整
４４………機能選択欄
５１………保守調整ベース画面
５２………実行種別設定欄
５３………測定パラメータ設定欄
５４………ペーパサイズ指定欄
５４ａ、５５ａ、５６ａ………数値入力欄
５５………トレイ指定欄
５６………濃度入力欄
５７………前へ後ろへ欄
６０………測定データ表示欄
６１、９１………濃度測定表
６２………行タイトル
６３………列タイトル
６５………プロセス環境表
６６………行データ
６７………個別の列タイトル
６８、９２………カーソル
６９………表示座標
７０………測定データ表示欄６０のデータ定義
７１………行タイトル欄
７２………個別の列タイトル有無欄
７３………データ設定欄
７４………表示開始座標定義欄
８０………濃度測定表６１のデータ定義８０
８５………プロセス環境表６５のデータ定義
８６………データ定義８５の行データ
８７………個別の列タイトル
９３………個別の列データ
９４………制御部
【図１】
2004110423.tif 000003
【図２】
2004110423.tif 000004
【図３】
2004110423.tif 000005
【図４】
2004110423.tif 000006
【図５】
2004110423.tif 000007
【図６】
2004110423.tif 000008
【図７】
2004110423.tif 000009
【図８】
2004110423.tif 000010
【図９】
2004110423.tif 000011
【図１０】
2004110423.tif 000012